(57)【要約】      （修正有）【課題】液用容器の口部を開け閉めするコック装置において、開閉を繰り返しても、開閉操作し難くなるのを防止する。【解決手段】コック装置５はボディ部材５ａとコック部材５ｂを備えている。ボディ部材５ａは、液用容器の口部に装着される口栓部１０と、外筒２１を一体に含む。コック部材５ｂは、外筒２１に回転可能に圧入された内筒２２と、ツマミ２４を一体に含む。ボディ部材５ａ及びコック部材５ｂの少なくとも一方が、主成分の樹脂にスリップ剤が添加されている。【選択図】図２
2015200391.tif 000002
【特許請求の範囲】
【請求項１】
液用容器の口部を開け閉めするコック装置であって、
前記口部に装着される口栓部、及び前記口栓部の外側面に軸線を沿わせた外筒を一体に含み、前記口栓部から前記外筒の内周面に連通穴が貫通形成されたボディ部材と、
前記外筒の内部に前記軸線まわりに回転可能に圧入された内筒、及び前記内筒の一端部から前記軸線と交差するように延びるツマミを一体に含み、前記連通穴を開閉するコック部材と、
を備え、前記ボディ部材及び前記コック部材の少なくとも一方が、主成分の樹脂にスリップ剤が添加されていることを特徴とするコック装置。
【請求項２】
前記スリップ剤が、エルカ酸アミドを含むことを特徴とする請求項１に記載のコック装置。
【請求項３】
前記ボディ部材には、主成分の樹脂１００質量部に対して、前記スリップ剤が１〜５質量部含有されていることを特徴とする請求項１又は２に記載のコック装置。
【請求項４】
前記コック部材には、主成分の樹脂１００質量部に対して、前記スリップ剤が０．５〜１０質量部含有されていることを特徴とする請求項１〜３の何れか１項に記載のコック装置。
【発明の詳細な説明】
【技術分野】
【０００１】
本発明は、液用の容器に設けられて前記容器の口部から内容液を注出したり口部を閉止したりするコック装置に関し、特に外筒に軽圧入された内筒を軸線まわりに回すことで開閉されるコック装置に関する。
【背景技術】
【０００２】
飲料、洗剤、薬液等の液体を溜めるとともに必要に応じて注出する容器として、例えばバッグインボックスが知られている（特許文献１〜３参照）。バッグインボックスは、段ボール製の外箱に柔軟な樹脂製の内袋を収容してなる容器であり、軽量で丈夫、かつ廃棄しやすいために業務用や家庭用に広く利用されている。前記内袋の一箇所には口部が設けられている。この口部に開閉用のコック装置が取り付けられている。
【０００３】
特許文献１〜３等に開示されているように、この種のコック装置は、内袋の口部を塞ぐ蓋状の口栓部に外筒が一体に設けられている。外筒の軸線は、口栓部の外側面と平行に配置されている。口栓部から外筒の内周面に連通穴が貫通形成されている。この外筒に内筒が軸線まわりに回転可能に圧入されるとともに内筒の一端部にレバー状のツマミが一体に設けられている。ツマミをつまんで前記軸線のまわりに回転させることによって、内筒が連通穴を開閉する。ひいては、コック装置が開閉される。
【先行技術文献】
【特許文献】
【０００４】
【特許文献１】特許第４０２１５３１号公報
【特許文献２】実用新案登録第３１７３１５７号公報
【特許文献３】実用新案登録第３１７７１１５号公報
【発明の概要】
【発明が解決しようとする課題】
【０００５】
この種のコック装置においては、開閉時に内筒と外筒とが摺擦し合うことで、内筒の外周面又は外筒の内周面に摺擦痕が形成されやすい。したがって、開閉を繰り返すほど、内筒の外周面又は外筒の内周面が粗くなって開閉時の摩擦抵抗が増大し、開閉し難くなるおそれがある。また、季節によっても開閉操作の所要力が変動しやすい。例えば、冬季には開閉操作の所要力が夏季よりも大きくなる傾向がある。
【課題を解決するための手段】
【０００６】
前記問題点を解決するために、本発明は、液用容器の口部を開け閉めするコック装置であって、前記口部に装着される口栓部、及び前記口栓部の外側面に軸線を沿わせた外筒を一体に含み、前記口栓部から前記外筒の内周面に連通穴が貫通形成されたボディ部材と、前記外筒の内部に前記軸線まわりに回転可能に圧入された内筒、及び前記内筒の一端部から前記軸線と交差するように延びるツマミを一体に含み、前記連通穴を開閉するコック部材と、を備え、前記ボディ部材及び前記コック部材の少なくとも一方が、主成分の樹脂にスリップ剤が添加されていることを特徴とする。
このコック装置によれば、開閉時における内筒と外筒との間の滑りを良くすることができ、内筒の外周面又は外筒の内周面に摺擦痕が形成されるのを抑制又は防止できる。したがって、内筒の外周面又は外筒の内周面の表面粗さひいては開閉時の摩擦抵抗が、開閉回数に応じて増大するのを抑制又は防止できる。よって、開閉回数が多数回に及んでも、開閉操作の容易性を維持することができる。また、季節によっても開閉操作の所要力が変動するのを抑制でき、冬季においても夏季とあまり変わらない力で開閉操作することができる。
【０００７】
前記スリップ剤が、エルカ酸アミドを含むことが好ましい。
前記ボディ部材には、主成分の樹脂１００質量部に対して、前記スリップ剤が１〜５質量部含有されていることが好ましい。
前記コック部材には、主成分の樹脂１００質量部に対して、前記スリップ剤が０．５〜１０質量部含有されていることが好ましい。
これによって、コック装置の開閉回数に応じて開閉操作し難くなるのを確実に抑制又は防止でき、開閉操作の容易性を確実に維持することができる。
【発明の効果】
【０００８】
本発明によれば、コック装置の開閉回数に応じて開閉し難くなるのを抑制又は防止でき、開閉操作の容易性を維持することができる。
【図面の簡単な説明】
【０００９】
【図１】図１は、本発明の第１実施形態を示し、コック装置を備えたバッグインボックスの斜視図である。
【図２】図２は、前記コック装置の分解斜視図である。
【図３】図３は、前記コック装置を、閉位置の状態を実線で、開位置の状態を二点鎖線で示す正面図である。
【図４】図４（ａ）は、前記コック装置を閉位置の状態で示す、図３のＩＶ−ＩＶ線に沿う縦断面図である。図４（ｂ）は、前記コック装置を開位置の状態で示す縦断面図である。
【発明を実施するための形態】
【００１０】
以下、本発明の実施形態を図面にしたがって説明する。
図１〜図４は、本発明の第１実施形態を示したものである。図１に示すように、バッグインボックス１（容器）は、段ボール製の外箱２と、柔軟な樹脂製の内袋３を含む。外箱２の内部に内袋３が収容されている。この内袋３に飲料、洗剤、薬品等の液体（内容液）が入れられている。ここでは、内容液として飲用の温泉水が入れられている。この温泉水の充填時の温度は、例えば５０℃〜９０℃程度であり、好ましくは６５℃〜７０℃程度である。内袋３の一側部には、硬質樹脂からなる概略円筒形状の口部４が設けられている。この口部４にコック装置５が打栓にて接合されている。外箱２の一側面には、コック取出口２ｂが形成されている。バッグインボックス１の使用に際して、コック装置５がコック取出口２ｂから外部に突出される。
【００１１】
図２及び図３に示すように、コック装置５は、ボディ部材５ａと、コック部材５ｂとの２部材にて構成されている。ボディ部材５ａは、口栓部１０と、外筒２１とを一体に含む。口栓部１０は、円形の蓋状になっている。図１に示すように、この口栓部１０が、口部４に打栓にて装着されて、口部４を塞いでいる。
【００１２】
図２及び図３に示すように、口栓部１０の左右方向の中央部に外筒２１が設けられている。外筒２１は、両端開口の円筒形（筒状）になっている。外筒２１の軸線Ｌ０は、口栓部１０の外側面１１に沿って上下方向に向けられている。
【００１３】
図２に示すように、口栓部１０の外側面１１のほぼ中央部には、概略四角形状の連続筒部１３が突出するように形成されている。この連続筒部１３を介して口栓部１０と外筒２１の周側部とが互いに一体に連続している。
【００１４】
図４に示すように、連続筒部１３の内部に連通穴１３ａが形成されている。連通穴１３ａは、口栓部１０から外筒２１の内周面に貫通している。外筒２１の周側部における連通穴１３ａと１８０°離れて対向する位置には、空気穴２１ｅが形成されている。
【００１５】
図２に示すように、コック部材５ｂは、内筒２２と、ツマミ２４とを一体に含む。内筒２２は、外筒２１と同軸かつ外筒２１よりも長い円筒形（筒状）になっている。内筒２２の周側部には、開閉穴２２ａが形成されている。開閉穴２２ａは、内筒２２の外周面から内周面に貫通している。
【００１６】
図３及び図４に示すように、この内筒２２が、外筒２１内に軽圧入されるとともに、外筒２１に対して回転可能になっている。内筒２２の外周面が外筒２１の内周面にぴったり接することによって、これら外筒２１と内筒２２との間が液密にシールされている。なお、外筒２１と内筒２２との間のシール構造は、前掲特許文献３に開示されているものと同様の構成になっている。内筒２２の下端部は、外筒２１より下方へ突出されている。
【００１７】
外筒２１と内筒２２とによって、二重筒状のノズル部２０が構成されている。内筒２２の内部空間がノズル孔２９を構成している。内筒２２の下端の開口が、ノズル孔２９の吐出口２９ａを構成している。
なお、外筒２１が内筒２２よりも下方へ突出することで、外筒２１の下端の開口がノズル孔２９の吐出口を構成していてもよい。
【００１８】
図３に示すように、内筒２２の上端部は、外筒２１の上端部から突出され、そこにキャップ部２３が一体に設けられている。キャップ部２３は、概略円錐台状になっており、その底部が内筒２２よりも大径かつ外筒２１の外径と略等大になっている。このキャップ部２３の底部が、外筒２１の上端縁に当接している。キャップ部２３は、内筒２２の上端部ひいてはノズル孔２９の上端部（吐出口２９ａとは反対側の端部）を塞ぐとともに、外筒２１の上端部を塞いでいる。
【００１９】
図２に示すように、キャップ部２３にツマミ２４が一体に設けられている。ツマミ２４は、キャップ部２３からノズル２０の軸線Ｌ０と交差するように延びるレバー状になっている。
【００２０】
ツマミ２４をつまんでコック部材５ｂに回転トルクを加えることにより、コック部材５ｂを軸線Ｌ０まわりに回転させることができる。これによって、コック装置５を開閉できる。すなわち、図３の二点鎖線に示すように、ツマミ２４を例えば口栓部１０の外側面１１の右側部に添うように向けると、コック部材５ｂが開位置になる。図４（ｂ）に示すように、この開位置では、第２連通穴２２ａが第１連通穴１３ａと一致することで、連通穴１３ａとノズル孔２９とが開閉穴２２ａを介して連通する。これによって、バッグインボックス１の内容液を、口部４、連通穴１３ａ、開閉穴２２ａ、及びノズル孔２９を順次経て、吐出口２９ａから注出することができる。
【００２１】
図３の実線に示すように、ツマミ２４を例えば口栓部１０の外側面１１の左側部に添うように向けると、コック部材５ｂが閉位置になる。図４（ａ）に示すように、この閉位置では、開閉穴２２ａが連通穴１３ａに対してノズル部２０の周方向に例えば１８０°ずれることで、内筒２２の周壁によって連通穴１３ａが塞がれる。よって、内容液の注出が停止又は阻止される。このとき、開閉穴２２ａが空気穴２１ｅと一致することによって、ノズル孔２９の内部から液抜きできる。
【００２２】
ここで、ボディ部材５ａ及びコック部材５ｂの組成について説明する。
ボディ部材５ａの主成分は樹脂であり、好ましくはポリエチレン、ポリプロピレン等のポリオレフィン系樹脂である。さらに、ボディ部材５ａにはスリップ剤が添加されている。好ましくは、ボディ部材５ａのスリップ剤は、エルカ酸アミド（不飽和脂肪酸アミド）を含む。好ましくは、ボディ部材５ａには、主成分の樹脂１００質量部に対して、スリップ剤が１〜５質量部含有されている。より好ましくは、ボディ部材５ａには、主成分の樹脂１００質量部に対して、スリップ剤が１〜３質量部含有されている。
【００２３】
コック部材５ｂの主成分は樹脂であり、好ましくはポリプロピレン、ポリエチレン等のポリオレフィン系樹脂やポリスチレンである。さらに、コック部材５ｂにはスリップ剤が添加されている。好ましくは、コック部材５ｂのスリップ剤は、エルカ酸アミド（不飽和脂肪酸アミド）を含む。好ましくは、コック部材５ｂには、主成分の１００質量部に対して、前記スリップ剤が０．５〜１０質量部含有されている。より好ましくは、コック部材５ｂには、主成分の１００質量部に対して、前記スリップ剤が２〜５質量部含有されている。
【００２４】
コック装置５によれば、ボディ部材５ａ及びコック部材５ｂにスリップ剤が添加されているため、開閉時における内筒２２と外筒２１との間の滑りを良くすることができ、内筒２２の外周面や外筒２１の内周面に摺擦痕が形成されるのを抑制又は防止できる。したがって、内筒２２の外周面や外筒２１の内周面の表面粗さひいては開閉時の摩擦抵抗が、開閉回数に応じて増大するのを抑制又は防止できる。よって、開閉回数が多数回に及んでも、開閉の所要トルクが増大して開閉し難くなるのを抑制又は防止でき、開閉操作の容易性を維持することができる。また、季節によっても開閉操作の所要力が変動するのを抑制でき、冬季においても夏季とあまり変わらない力で開閉操作することができる。さらには、内筒２２と外筒との間のシール性を十分に確保することができる。
【００２５】
本発明は、前記実施形態に限られず、その趣旨を逸脱しない範囲内で種々の改変をなすことができる。
例えば、コック装置５のボディ部材５ａ及びコック部材５ｂの少なくとも一方にスリップ剤が添加されていればよい。したがって、ボディ部材５ａにスリップ剤が添加され、かつコック部材５ｂにはスリップ剤が添加されていなくてもよい。逆に、ボディ部材５ａにはスリップ剤が添加されておらず、かつコック部材５ｂにスリップ剤が添加されていてもよい。
スリップ剤の主成分は、エルカ酸アミドに限られず、オレイン酸アミド、ステアリン酸アミド等であってもよい。
【実施例１】
【００２６】
実施例を説明する。ただし、本発明が以下の実施例に限定されるものではない。
実施例１では、ボディ部材５ａ及びコック部材５ｂにスリップ剤を添加し、その添加量に応じた開閉操作性を評価した。
ボディ部材５ａの主成分は、低密度ポリエチレンであり、これにエルカ酸アミドを含むスリップ剤を添加した。配合比は、主成分の樹脂１００質量部に対して、スリップ剤が１〜５質量部であった。
コック部材５ｂの主成分の樹脂は、ポリプロピレンであり、これにエルカ酸アミドを含むスリップ剤を添加した。配合比は、主成分の樹脂１００質量部に対して、スリップ剤が０．５〜１０質量部であった。
ボディ部材５ａの外筒２１にコック部材５ｂの内筒２２を圧入して、コック装置５を組み立てた後、１０日間自然放置した。
環境温度は、２３℃±１０°程度であった。
そして、コック部材５ｂを開閉するための所要操作力を測定した。
測定器としては、アイコーエンジニアリング株式会社製デジタルプッシュプルゲージＭＯＤＥＬ−ＲＸを用いた。この測定器のフックを閉位置のツマミ２４の先端部に引っ掛けるとともに、測定器をコック装置５に対して開方向に引っ張ることで、コック部材５ｂが回転し始める時の引っ張り力（最大静止摩擦力）を測定した。
測定は、開閉操作を繰り返す前の初期段階と、多数回繰り返して開閉操作をした後の後期段階とで行なった。
後期段階までの開閉操作の回数は、１００回であった。
その結果を表１及び表２に示す。
【００２７】
【表１】
2015200391.tif 000003
【００２８】
【表２】
2015200391.tif 000004
【００２９】
表１及び表２から分かる通り、ボディ部材５ａ及びコック部材５ｂに適度な量のスリップ剤を含有させることによって、多数回繰り返して開閉操作をした場合でも、開閉所要操作力が過度に増大することがなく、開閉操作の容易性を維持できた。
スリップ剤の含有量が少な過ぎると、開閉操作を繰り返した場合、開閉所要操作力が増大し、開閉し難くなった。
一方、スリップ剤の含有量がある程度の量以上になると、開閉所要操作力の増大抑制効果が飽和してスリップ剤の含有量によってはあまり影響を受けなくなった。
【産業上の利用可能性】
【００３０】
本発明は、例えばバッグインボックスの給水栓として利用できる。
【符号の説明】
【００３１】
Ｌ０       軸線
１        バッグインボックス（液用容器）
４        口部
５        コック装置
５ａ      ボディ部材
５ｂ      コック部材
１０      口栓部
１１      外側面
１３ａ    連通穴
２１      外筒
２２      内筒
２４      ツマミ
【図１】
2015200391.tif 000005
【図２】
2015200391.tif 000006
【図３】
2015200391.tif 000007
【図４】
2015200391.tif 000008